(57)【特許請求の範囲】
【請求項１】
構造物に略垂直方向に複数系統布設されるバスダクトを、
前記バスダクトの長手方向と直交する面に固設する支持手段で支持するバスダクト支持装置であって、
少なくとも、第１のバスダクトを支持する第１の支持手段と、前記第１のバスダクトと隣り合う第２のバスダクトを支持する第２の支持手段とを、
前記第１と第２のバスダクト相互間において、前記直交面上で正面視の前後方向にずらして配設することを特徴とするバスダクト支持装置。
【請求項２】
前記第１の支持手段と前記第２の支持手段をバスダクトの長手方向にそれぞれ複数配設し、
前後方向にずれている任意の第１及び第２の支持手段と、
その一つ上の第１及び第２の支持手段とで、
第１の支持手段と第２の支持手段を前後方向に置換することを特徴とする請求項１記載のバスダクト支持装置。
【請求項３】
前記バスダクトの幅方向の両側に設けられた補強部に固定具を固定し、
少なくとも、前記支持手段で前記固定具を介して前記バスダクトを支持することを特徴とする請求項１又は２記載のバスダクト支持装置。
【発明の詳細な説明】
【０００１】
【発明の属する技術分野】
本発明は、高層ビル等の構造物で電気幹線路を構成するバスダクトに係り、垂直方向に布設された複数系統のバスダクトを支持するバスダクト支持装置に関する。
【０００２】
【従来の技術】
高層ビル等に垂直方向に布設されるバスダクトの支持装置に関する従来技術として、特公昭５９−２６８２２号と実開昭６１−１１４９２５号に開示されている垂直バスダクトの床支持装置がある。
【０００３】
特公昭５９−２６８２２号の垂直バスダクトの床支持装置は、垂直バスダクトの荷重を張力調節可能の弾性部材を介して上下案内棒に受けさせ、その案内棒を張力調節可能の弾性材ブロックを介して床上の固定受枠に支持させ、その弾性材ブロックの受枠に対する当り面の広さを案内棒の断面積に比べて少なくとも数倍大きくした支持機構を建物の各階層床上に設けて垂直バスダクトの荷重を分割支持させ、その各階層の支持機構のバスダクトの垂直荷重を受ける弾性部材並びにその垂直荷重受案内棒の荷重を受ける弾性部材ブロックの弾性張力を調節し、バスダクトの荷重支持、収縮・振動の吸収等の機能を各階層毎に調節可能にしたものである。
【０００４】
また、実開昭６１−１１４９２５号の垂直バスダクトの床支持装置は、垂直バスダクトのフランジ部の外面に固定金具を取り付け、その固定金具を支持部材を介して床に支持させてなる垂直バスダクト床支持装置において、上記垂直バスダクトのフランジ部を、そのフランジ部の縁を跨ぎ、基部側が上記固定金具に締付け固定され、先端側が上記フランジ部の内面に押し当てられるクランプ片によって、上記固定金具に固定したものである。
【０００５】
【発明が解決しようとする課題】
ところが、特公昭５９−２６８２２号の床支持装置は、垂直バスダクトに固定されている支持腕が垂直バスダクトの両側面から外方に突出して設けられることから、例えば２系統以上の垂直バスダクトを並列して布設する場合に、隣り合う垂直バスダクト相互間に位置する支持腕同士が干渉しない程度離間して布設し、バスダクト相互間に長い布設間隔を確保する必要がある。そのため、複数系統の垂直バスダクトを並列して布設するために、広い空間を無駄に確保しなければならないという不具合がある。
【０００６】
同様に、実開昭６１−１１４９２５号の床支持装置も、垂直バスダクトに固定される固定金具がバスダクトの両フランジ部から外方に突出して設けられることから、例えば２系統以上の垂直バスダクトを並列して布設する場合に、隣り合う垂直バスダクト相互間に位置する固定金具等同士が干渉しない程度離間してバスダクトを布設し、バスダクト相互間に長い布設間隔を確保する必要があり、広い空間を無駄に確保しなければならないという不具合がある。
【０００７】
本発明は、上記不具合を解消するためになされたものであって、高層ビル等の構造物で垂直方向に複数系統布設されるバスダクトの支持空間を省スペース化することができ、スペースの有効利用を図ることを可能にするバスダクト支持装置を提供することを目的とする。
【０００８】
【課題を解決するための手段】
本発明のバスダクト支持装置は、構造物に略垂直方向に複数系統布設されるバスダクトを、前記バスダクトの長手方向と直交する面に固設する支持手段で支持するバスダクト支持装置であって、少なくとも、第１のバスダクトを支持する第１の支持手段と、前記第１のバスダクトと隣り合う第２のバスダクトを支持する第２の支持手段とを、前記第１と第２のバスダクト相互間において、前記直交面上で正面視の前後方向にずらして配設することを特徴とする。
【０００９】
更に、本発明のバスダクト支持装置は、前記第１の支持手段と前記第２の支持手段をバスダクトの長手方向にそれぞれ複数配設し、前後方向にずれている任意の第１及び第２の支持手段と、その一つ上の第１及び第２の支持手段とで、第１の支持手段と第２の支持手段を前後方向に置換することを特徴とする。例えば平面視でバスダクト相互間の中心線を中心にして、任意の第１及び第２の支持手段と、その一つ上方に位置する第１及び第２の支持手段とを略対称位置に置換して設ける。
【００１０】
更に、本発明のバスダクト支持装置は、前記バスダクトの幅方向の両側に設けられた補強部に固定具を固定し、少なくとも、前記支持手段で前記固定具を介して前記バスダクトを支持することを特徴とする。尚、本発明の支持手段には、例えば後述の実施例に示すような固定具を有する支持部、固定具を有しない支持部、一若しくは複数の支持部等の概念が含まれる。
【００１１】
【作用】
例えば略同一高さに配置する、第１のバスダクトを支持する第１の支持手段と、第１のバスダクトと隣り合う第２のバスダクトを支持する第２の支持手段とを、第１と第２のバスダクト相互間に正面視で前後方向にずらして配設することにより、一方のバスダクトを支持する支持手段と他方のバスダクトを支持する支持手段とが互いに干渉すること無く、バスダクトの布設間隔を短くすることが可能となり、バスダクトの支持に必要な空間を狭くして省スペース化を図ることができる。その有利性は、バスダクトの系統が多いほど顕著に現れる。
【００１２】
また、第１の支持手段と第２の支持手段をバスダクトの長手方向にそれぞれ複数配設し、前後方向にずれている任意の第１及び第２の支持手段と、その一つ上方に位置する前後方向にずれている第１及び第２の支持手段とで、第１の支持手段と第２の支持手段を前後方向に置換することにより、バスダクトの布設間隔を狭くすることができると共に、支持力によるバスダクトの変形を未然に防止することができ、超高層ビル等に対応することが可能である。
【００１３】
また、バスダクトの幅方向の両側に設けられた補強部に固定具を固定して、固定具をバスダクトに固定状態にし、支持手段で前記固定具を介してバスダクトを支持することにより、例えば容量が異なって導体幅が互いに異なるバスダクトを支持する場合に、１種類の固定具を所要の補強部に固定して容易に対応し、バスダクトを支持することができる。
【００１４】
【発明の実施の形態】
次に、本発明のバスダクト支持装置の具体的な実施例を図面に沿って説明するが、本発明はかかる実施例に限定されるものではない。図１から図３までは本発明の第１実施例を示し、図１はバスダクト支持装置を使用してバスダクトを支持している状態を示す正面図、図２は図１の右側面図、図３は図１の平面説明図である。
【００１５】
前提として、各実施例で支持されるバスダクト３０は、複数相からなる絶縁処理された導体３１をハウジングで被覆してなるものであり、例えば第１実施例のバスダクト３０は、図１乃至図３に示すように、３線からなる絶縁被覆された導体３１が隣接して並設され、導体３１の幅方向の前後に、バスダクト３０の側板３３・３３間に介在する断面ロ字形のスペーサ３２が配設され、導体３１及びスペーサ３２を両外側から側板３３・３３で挟持し、ボルト３４及びナット３５で締着して固定されている。側板３３は、平らな基面３３１の両端縁から外方に略９０度に屈曲して延設された第１補強部３３２と、第１補強部３３２の外側端縁から互いに向き合うように略９０度に屈曲して延設された第２補強部３３３を有し、バスダクト３０の強度が保持されている。バスダクト３０は図示の２系統のように複数系統並設され、ビル等の各階の床面４０を貫通して垂直方向に布設されて、オフィスビル等の下方階から上方階まで電気幹線路を形成する。
【００１６】
そして、第１実施例のバスダクト支持装置は、垂直方向に並列して布設された２系統のバスダクト３０・３０を支持するものであり、図１乃至図３に示すように、バスダクト３０に固定されている固定具１０と、構造物に対して固定されている支持部２０とを備える。
【００１７】
固定具１０は、各系統毎のバスダクト３０の厚さ方向の両端に固定されるものであり、バスダクト３０の第２補強部３３３の外側面に接し、締着具であるボルトを挿通可能な挿通孔が四隅近傍に設けられた基面１１と、基面１１の前後方向の両側端縁から略９０度で内方に屈曲して延設され、バスダクト３０の第１補強部３３２の外側面に接する屈曲片１２と、基面１１の下端縁の半分弱程度の幅で前記下端縁から略９０度で外方に屈曲して延設され、図に省略した挿通孔が形成され、前記挿通孔に後述する案内棒２２を挿通して支持部２０と接続される支持片１３と、支持片１３の中央側端縁から略９０度で上方に屈曲して延設され、基面１１の外側面に沿って接する辺が前記外側面に固着されている、支持片１３の変形を防ぐための補強片１４と、バスダクト３０の第２補強部３３３の内面に接し、基面１１の挿通孔に挿通されるボルト１６とナット１７等の締着具で締め付けられる屈曲した挟持金具１５を有する。尚、支持片１３に充分な肉厚があるなど所要の強度がある場合には、補強片１４を設けなくともよい。
【００１８】
バスダクト３０に固定される固定具１０は、基面１１の四隅近傍の内側に挟持具１５が配置され、ボルト１６とこれに螺合するナット１７で仮止めされており、前記固定具１０は、固定すべきバスダクト３０の第２補強部３３３の外面に基面１１の内面が接するように、且つ前記バスダクト３０の第１補強部３３２の外面に屈曲片１２の内面が接するように配置され、更に挟持手段である挟持具１５を第２補強部３３３の内面に接するように配置され、ボルト１６及びナット１７を緊締して基面１１の内面と挟持具１５の挟持面とで第２補強部３３３を強固に挟持し、バスダクト３０と固定状態にされる。前記固定具１０を使用することにより、挟持によって容易に固定作業を行うことが可能になり、又バスダクト３０のハウジングに固定具１０を固定するための孔開け加工を施すことが不要となり、バスダクト３０の製造コストを削減することができる。更にはバスダクト３０の長さ方向の如何なる場所でも、固定具１０を容易に取り付け及び取り外しすることができ、現場の状況に応じて適切な対応をすることが可能となる。
【００１９】
また、支持部２０は、床面４０を貫通するバスダクト３０の貫通穴近傍に配設され、床面４０に固定されている断面略コ字形のチャンネル部材である基台２１に設けられるものであり、ネジ溝が螺刻された上下方向に延びる長尺のボルトで、ボルト頭部を上にして支持片１３の挿通孔に挿通されていると共に、基台２１の上面の挿通孔に挿通され、前記ボルトに螺合されている２つのナット２３・２３を基台２１の上面を挟持するように緊締することにより前記上面に固定されている案内棒２２と、案内棒２２が挿通されて案内棒２２の周囲に設けられ、案内棒２２に螺合して配設された位置決め用のナット２４及びナット２４の下方に配設された回り止め用のナット２５の上に設けられて所定高さにその下端が位置決めされている弾性材であるコイル状のバネ材２６を有し、案内棒２２のボルト頭部とバネ材２６の頂部との間に固定具１０の支持片１３が位置し、バネ材２６の頂部で支持片１３を上方に付勢する構成である。
【００２０】
前記固定具１０の支持片１３をバネ材２６で支持することにより、前記固定具１０と固定状態になっているバスダクト３０が弾性材であるバネ材２６で支持される。前記支持状態に於いては、バスダクト３０の第１補強部３３２及び第２補強部３３３の外面に沿って固定具１０の基面１１及び屈曲片１２が配設され、支持片１３の挿通孔に案内棒２２が貫通されているので、バスダクト３０の水平方向への移動が規制される。また、本実施例では、バスダクト３０の上端部を固定することにより、バスダクト３０の通電時の伸びをバネ材２６の収縮及び支持片１３の下降で吸収して下方に逃がす構成としたが、例えば案内棒２２のボルト頭部を支持片１３の上面より一定距離上方に位置し、バスダクト３０の通電時の伸びを上方に逃がす構成や、案内棒２２の上端を支持片１３に固定する構成など、固定具１０及び支持部２０の構成は適宜である。
【００２１】
そして、前記支持部２０にて並設された２系統のバスダクト３０・３０をそれぞれ支持する場合には、前記並設されたバスダクト３０・３０の両側の２つ及びバスダクト３０・３０相互間の１つからなる３つの基台２１を長手方向を前後方向にして配設し、一方のバスダクト３０を支持する支持部２０を前記一方のバスダクト３０の厚さ方向両側に配設し、他方のバスダクト３０を支持する支持部２０を前記他方のバスダクト３０の厚さ方向両側に配設して、バスダクト３０・３０相互間に一方のバスダクト３０を支持する支持部２０と他方のバスダクト３０を支持する支持部２０とを併存させる。
【００２２】
前記バスダクト３０・３０相互間に存在する支持部２０・２０は、中央の兼用される１つの基台２１に設けられ、各支持部２０の案内棒２２は、それぞれ正面視で前後方向にずらした位置に於いて、前記中央の基台２１の上面に固定されている。さらに、バスダクト３０・３０相互間に位置する一方のバスダクト３０に固定されている固定具１０の支持片１３は前半分弱のみ突出し、前記バスダクト３０・３０相互間に位置する他方のバスダクト３０に固定されている固定具１０の支持片１３は後半分弱のみ突出し、前記両支持片１３・１３は互いに干渉しない程度に前後方向にずれた位置に突設して各々案内棒２２・２２に接続されており、結果的に隣り合うバスダクト３０・３０相互間に於けるバスダクト３０の厚さ方向の距離を一つの支持部２０を配設する距離分確保するのみで、バスダクト３０・３０相互間に二つの支持部２０・２０が配設される構成となっている。
【００２３】
また、各バスダクト３０を支持する両側の支持部２０及びこれに接続される支持片１３は、一方の支持部２０及びこれに接続される支持片１３が前方に設けられている場合には、他方の支持部２０及びこれに接続される支持片１３が後方に設けられており、一方の支持部２０及びこれに接続される支持片１３と他方のそれとが平面視のバスダクト３０の中心に対して点対称位置に配設され、バスダクト３０の安定した支持を可能にしている。更には、並設状態の２系統のバスダクト３０の両外側に設けられる支持部２０及びこれに接続される支持片１３も、同様に平面視のバスダクト３０・３０の並設状態の中心に対して点対称位置に配設されるので、並設された２系統のバスダクト３０・３０を全体として安定支持することが可能である。
【００２４】
本発明の第１実施例のバスダクト支持装置は、隣り合うバスダクト３０・３０相互間に於けるバスダクト３０の厚さ方向の距離を一つの支持部２０を配設する距離分確保するのみで、隣り合うバスダクト３０・３０相互間に二つの支持部２０が配設可能であり、これを使用することにより、バスダクト３０を複数系統並列して垂直布設する場合に、支持部２０の配設に要する空間を極力少なくすることができ、省スペースによる複数系統のバスダクトの支持を実現することが可能となるという有利性がある。さらに前記有利性は系統が多ければ多いほど顕著に現れる。
【００２５】
尚、第１実施例では、並設された２系統のバスダクト３０・３０の両外側に配設された支持部２０・２０もバスダクト３０・３０相互間に位置する支持部２０・２０と同一構成としているが、支持部２０等は第１実施例に限定されず、例えば図４に示すように、複数系統として２系統並設されたバスダクト３０・３０の最外側に位置する支持部２０を案内棒２２やバネ材２６を２つ設けるものとし、且つ前記最外側の固定具１０の支持片１３を基面１１の下端縁の全長に亘る長さで前記下端縁から屈曲延設し、前記支持片１３に２つの案内棒２２・２２を接続して、バスダクト３０をより強固に支持する構成としてもよい。これ以外にも複数系統並設されたバスダクト３０の最外側の支持部２０や固定具１０の構成は適宜である。
【００２６】
次に、本発明の第２実施例のバスダクト支持装置について第１実施例と異なる箇所を中心に説明する。図５から図７までは第２実施例を示しており、図５は第２実施例のバスダクト支持装置を使用してバスダクトを支持している状態を示す正面図、図６は図５の右側面図、図７は図５の平面説明図である。
【００２７】
前提として、第２実施例で支持されるバスダクト３０は、例えば図５乃至図７に示すように、並設された３線の絶縁被覆された導体３１を、その厚さ方向の両外側からハウジング半体３６・３６にて挟持するものである。前記ハウジング半体３６は、中央に位置する断面コ字形の収納凹部３６１と、収納凹部３６１の開口部分の前後方向両端縁から互いに離反するように形成され延設されているフランジ部３６２と、フランジ部３６２の外側端縁に沿って付加形成される補強部とを有し、前記補強部は、フランジ部３６２の外側端縁から外方に屈曲して延設されている第１補強部３６３と、第１補強部３６３の外側端縁から互いに離反するように且つフランジ部３６２と略平行に延設されている第２補強部３６４と、第２補強部３６４の外側端縁から内方に屈曲して延設されている第３補強部３６５とから構成されている。両側のハウジング半体３６・３６はフランジ部３６２・３６２を相互に密接し、リベット３７等で結合して相互に接合されている。前記本実施例のバスダクト３０も第１実施例と同様に、複数系統として２系統のバスダクト３０・３０がオフィスビル等の各階の床面４０を貫通して垂直方向に並列して布設され、その下方階から上方階まで電気幹線路を形成する。
【００２８】
第２実施例の固定具１０は、支持部２０が配設される側のハウジング半体３６の第２補強部３６４に内面が接する基面１１と、基面１１の下端縁からバスダクト３０の厚さ方向の外方に略９０度で屈曲して延設されている支持片１３と、支持片１３の前後方向の両側縁に沿って立設し、それぞれ前記支持片１３の側縁と基面１１の外側面に接して固設されている、支持片１３の強度を増すための略直角三角形状の補強片１４と、基面１１の内面にボルト１６１及びナット１７１などで固定されている鉤状係止具１８とを有する。
【００２９】
前記基面１１はその内面が接する第２補強部３６４に基面１１の外面から第２補強部３６４を貫通するビス１９などで固定され、前記固定状態で鉤状固定具１８は、支持部２０が配設される側のハウジング半体３６の第３補強部３６５、前記配設側と逆側のハウジング半体３６の第３補強部３６５、その第２補強部３６４、その第１補強部３６３に強固に係止し、固定強度を増して確実にバスダクト３０と固定具１０とが固定される構成である。尚、第２実施例の支持部２０は第１実施例の支持部２０と同様であり、基台２１に案内棒２２やバネ材２６等が設けられるものである。
【００３０】
バスダクト３０の幅方向両端部に設けられた補強部に固定された固定具１０の支持片１３はバスダクト３０の厚さ方向に突出して配設され、バスダクト３０・３０相互間に一方のバスダクト３０を支持する支持部２０と他方のバスダクト３０を支持する支持部２０が存在することになるが、バスダクト３０・３０相互間に存在する２つの支持部２０・２０は、正面視で一方のバスダクト３０の前方の補強部に固定具１０を固定して、その固定具１０を支持する位置に設けられると共に、正面視で他方のバスダクト３０の後方の補強部に固定具１０を固定して、その固定具１０を支持する位置に設けられ、バスダクト３０・３０相互間の固定具１０・１０及びこれらを各々支持する支持部２０・２０が互いに干渉することなく配設される。
【００３１】
従って、第２実施例のバスダクト支持装置を使用することによっても、隣り合うバスダクト３０・３０相互間に於けるバスダクト３０の厚さ方向の距離を一つの支持部２０を配設するのに必要な距離分確保するのみで、隣り合うバスダクト３０・３０相互間に二つの支持部２０・２０が配設可能となり、バスダクト３０の布設間隔を短くして配設空間を狭くすることができ、省スペース化を図ることができる。また、第２実施例のバスダクト支持装置を使用することにより、例えば複数系統並列して布設されるバスダクト３０間で容量が異なり、導体３１の幅が異なる場合であっても、図８に示すように、一種類の固定具１０や支持部２０にて対応することが可能である。
【００３２】
また、図９に示すように、複数系統として２系統並設されたバスダクト３０・３０の最外側に位置する支持部２０を、案内棒２２やバネ材２６を２つ或いは支持部２０を２つ設けるものとし、前記最外側の固定具１０を正面視で前後方向に２つ設け、各固定具１０の支持片１３に案内棒２２を接続して、バスダクト３０をより強固に支持する構成としてもよい。尚、前記構成ではバスダクト３０の一つの補強部の両側に固定具１０を固定するが、その固定方式は、例えば鉤状固定具１８に代えて例えば図９に示されるコ字形固定具１８１を用い、コ字形固定具１８１の基面をバスダクト３０の第３補強部３６５・３６５の外面に接するように配設してビス１９１でビス止めすると共に、コ字形固定具１８１の基面から外方に屈曲して延設されている屈曲片を固定具１０の基面１１にボルト１６２及びナット１７２などの締着具で固定する等適宜である。
【００３３】
次に、本発明の第３実施例のバスダクト支持装置として、第１実施例に於ける固定具１０及び支持部２０を使用し、バスダクト３０の長さ方向に複数の固定具１０若しくは支持片１３及び複数の支持部２０を配設した例を示す。図１０及び図１１は本発明の第３実施例のバスダクト支持装置を示し、図１０は第３実施例のバスダクト支持装置を使用してバスダクトを支持している状態を示す正面図、図１１は任意階に及びその一つ上階に於ける支持状態を示す平面説明図である。
【００３４】
第３実施例のバスダクト支持装置では、図１０及び図１１に示すように、任意階に於いては、正面視で各バスダクト３０の一側に前方若しくは後方の固定具１０の支持片１３及びその支持部２０を配設し、他側に後方若しくは前方の固定具１０の支持片１３及びその支持部２０を配設すると共に、任意階の一つ上の上階に於いては、正面視で各バスダクト３０の一側に後方若しくは前方の固定具１０の支持片１３及びその支持部２０を配設し、他側に前方若しくは後方の固定具１０の支持片１３及びその支持部２０を配設して、任意階とその一つ上の上階に於いて、各バスダクト３０の両側の固定具１０の支持片１３及び支持部２０の位置が前後に置換され逆に配置されている。
【００３５】
そして、任意階に於けるバスダクト３０・３０相互間に存在する支持部２０・２０については、一方のバスダクト３０に固定される固定具１０の支持片１３及び前記支持片１３を介して一方のバスダクト３０を支持する支持部２０を正面視で前方に配置され、他方のバスダクト３０に固定される固定具１０の支持片１３及び前記支持片１３を介して他方のバスダクト３０を支持する支持部２０を正面視で後方に配置されていると共に、任意階の一つ上階に於けるバスダクト３０・３０相互間に存在する支持部２０・２０については、一方のバスダクト３０に固定される固定具１０の支持片１３及び前記支持片１３を介して一方のバスダクト３０を支持する支持部２０を正面視で後方に配置され、他方のバスダクト３０に固定される固定具１０の支持片１３及び前記支持片１３を介して他方のバスダクト３０を支持する支持部２０を正面視で前方に配置され、任意階とその一つ上の上階に於いて、バスダクト３０・３０相互間の一方のバスダクト３０の固定具１０の支持片１３及びその支持部２０と他方のバスダクト３０の固定具１０の支持片１３及びその支持部２０の位置が前後に置換され逆に配置されている。
【００３６】
第３実施例のバスダクト支持装置を使用することにより、上記と同様にバスダクト３０・３０間の布設間隔を短くして省スペースでバスダクト３０を複数系統並設することが可能となることに加え、前記前後方向の固定具１０及び支持部２０の置換配置や階数が多い場合には連続的に置換配置することにより、支持力によるバスダクト３０の変形を未然に防止することが可能となると共に、超高層ビル等に対応することが可能となる。尚、第３実施例に第２実施例の固定具１０及び支持部２０やそれ以外の固定具及び支持部等を使用してもよく、この場合にも同様の有利性を得ることができる。尚、本発明のバスダクト支持装置には前記前後方向の固定具１０及び支持部２０の置換配置をしない場合も含まれる。
【００３７】
以上、本発明のバスダクト支持装置の第１〜第３実施例について説明したが、本発明は上記実施例に限定されるものではなく、以下のような拡張及び変形を行うことができる。例えば、本発明のバスダクト支持装置で支持するバスダクトの構成は、如何なるバスダクトでもよく、２線式のバスダクトでも、４線式以上のバスダクトでも、或いは空気絶縁型バスダクトでも、またこれらのバスダクトを混在して複数系統布設した場合でもよく、更に、バスダクトハウジングの形状も適宜である。
【００３８】
また、固定具１０の支持片１３の個数やその突出構成なども上記実施例に限定されるものではなく、例えば図１２に示すように、任意階に於いて、バスダクト３０・３０相互間に存在する他方のバスダクト３０の支持片１３及びその支持部２０を各二つにし、一方のバスダクト３０の支持片１３及びその支持部２０を前記他方のバスダクト３０の支持片１３・１３及びその各支持部２０・２０間に一つ設ける構成としてもよい。この場合に図示の如く、前記任意階の一つ上の上階に於いては、バスダクト３０・３０相互間に存在する一方のバスダクト３０の支持片１３及びその支持部２０を二つにし、他方のバスダクト３０の支持片１３及びその支持部２０を前記他方のバスダクト３０の支持片１３・１３及びその各支持部２０・２０間に一つ設け、一方のバスダクト３０の支持片１３及びその支持部２０と他方のバスダクト３０のそれとを置換して配設し、任意階の場合に対して逆に配置すると好適である。
【００３９】
また、図１３に示すように、任意階に於いて、バスダクト３０・３０相互間に存在する両方のバスダクト３０の支持片１３及びその支持部２０を二つずつにして支持し、一方のバスダクト３０の支持片１３及びその支持部２０と他方のバスダクト３０の支持片１３及びその支持部２０とを前後方向にずらして交互に配設する構成としてもよい。この場合に図示の如く、前記任意階の一つ上の上階に於いては、バスダクト３０・３０相互間に存在する一方のバスダクト３０の支持片１３及びその支持部２０と他方のバスダクト３０の支持片１３及びその支持部２０の配置を置換し、任意階の場合に対して逆に配置すると好適である。
【００４０】
また、図１４に示すように、任意階に於いて、バスダクト３０・３０相互間に他方のバスダクト３０の固定具１０の一つの支持片１３及びその支持部２０を前後方向の両端に各二つ設け、前記他方のバスダクト３０の支持片１３・１３及びその各支持部２０・２０間に、一方のバスダクト３０の固定具１０の前後方向に長めである支持片１３を設けると共に、前記一方のバスダクト３０の支持片１３を支持する２つの支持部２０・２０を設ける構成としてもよい。この場合にも図示の如く、前記任意階の一つ上の上階に於いては、バスダクト３０・３０相互間に存在する一方のバスダクト３０の支持片１３及びその支持部２０と他方のバスダクト３０の支持片１３及びその支持部２０を置換して配設し、任意階の場合に対して逆に配置すると好適である。この他にも、バスダクト３０の荷重などに応じて様々に変更することが可能である。
【００４１】
また、本発明の弾性材には、上記実施例のバネ材２６の他にも耐震性ゴム、パッキン等の弾性を有する素材は全て含まれ、弾性材の数や位置も同様に上記実施例に限定されるものではない。また、支持部２０及び固定具１０、或いはこれらの固定・接続方法に関しても上記実施例に限定されるものではない。また、基台２１には例えば防火処理を施す方法等に応じて様々なものが使用可能であり、基台２１の形状や個数等は適宜であり、又基台２１を積み重ねて高さを保持する構成など適宜の構成を採用しうる。また、上記実施例では複数系統のバスダクトとして２系統のバスダクト３０・３０に関して説明したが、３系統以上の複数系統であってもよく、系統が増加する程に本発明はバスダクト支持空間の省スペース化を累積的に促進することができ、より顕著な有利性を発揮することができる。
【００４２】
【発明の効果】
本発明のバスダクト支持装置を使用することにより、高層ビル等の構造物で垂直方向に複数系統布設されるバスダクトの支持空間を省スペース化することができ、スペースの有効利用を図ることが可能になるという効果を奏する。従って、従来は支持空間がないために複数系統のバスダクトを布設できなかった場所であっても、容易に複数系統のバスダクトを布設することが可能となる。
【図面の簡単な説明】
【図１】本発明の第１実施例のバスダクト支持装置を使用してバスダクトを支持している状態を示す正面図。
【図２】図１の右側面図。
【図３】図１の平面説明図。
【図４】第１実施例の変形例を示す平面説明図。
【図５】本発明の第２実施例のバスダクト支持装置を使用してバスダクトを支持している状態を示す正面図。
【図６】図５の右側面図。
【図７】図５の平面説明図。
【図８】第２実施例のバスダクト支持装置を使用して容量の異なるバスダクトを支持している状態を示す平面説明図。
【図９】第２実施例の変形例を示す平面説明図。
【図１０】本発明の第３実施例のバスダクト支持装置を使用して任意階とその一つ上の上階でバスダクトを支持している状態を示す正面図。
【図１１】（ａ）第３実施例のバスダクト支持装置の任意階に於ける支持状態を示す平面説明図、（ｂ）同図（ａ）の任意階の一つ上階に於ける支持状態を示す平面説明図。
【図１２】（ａ）第３実施例の第１変形例の任意階に於ける支持状態を示す平面説明図、（ｂ）同図（ａ）の任意階の一つ上階に於ける支持状態を示す平面説明図。
【図１３】（ａ）第３実施例の第２変形例の任意階に於ける支持状態を示す平面説明図、（ｂ）同図（ａ）の任意階の一つ上階に於ける支持状態を示す平面説明図。
【図１４】（ａ）第３実施例の第３変形例の任意階に於ける支持状態を示す平面説明図、（ｂ）同図（ａ）の任意階の一つ上階に於ける支持状態を示す平面説明図。
【符号の説明】
１０ 固定具
１１ 基面
１２ 屈曲片
１３ 支持片
１４ 補強片
１５ 挟持具
１８ 鉤状固定具
１８１ コ字形固定具
２０ 支持部
２１ 基台
２２ 案内棒
２６ バネ材
３０ バスダクト
３１ 導体
３３ 側板
３３２ 第１補強部
３３３ 第２補強部
３６ ハウジング半体
３６１ 収納凹部
３６２ フランジ部
３６３ 第１補強部
３６４ 第２補強部
３６５ 第３補強部
４０ 床面
【図１】
0004558990.tif 000002
【図２】
0004558990.tif 000003
【図３】
0004558990.tif 000004
【図４】
0004558990.tif 000005
【図５】
0004558990.tif 000006
【図６】
0004558990.tif 000007
【図７】
0004558990.tif 000008
【図８】
0004558990.tif 000009
【図９】
0004558990.tif 000010
【図１０】
0004558990.tif 000011
【図１１】
0004558990.tif 000012
【図１２】
0004558990.tif 000013
【図１３】
0004558990.tif 000014
【図１４】
0004558990.tif 000015